【事件の表示】
　特願２００３−３１６７０８「携帯機器」拒絶査定不服審判事件〔平成１６年　７月　２日出願公開、特開２００４−１８７２６９〕について、次のとおり審決する。
【結　論】
　本件審判の請求は、成り立たない。
【理　由】
１．手続の経緯
　本願は、平成１５年９月９日（優先権主張平成１４年１１月２０日）の出願であって、平成１９年２月９日付けで拒絶査定がなされ、これに対し、平成１９年３月２２日に拒絶査定に対する審判請求がなされ、当審において平成２１年１０月３０日付けで拒絶理由通知がなされ、平成２２年１月８日付けで手続補正がなされたものである。
　
２．本願発明
　本願の請求項１に係る発明（以下、「本願発明」という。）は、平成２２年１月８日付け手続補正書の特許請求の範囲の請求項１に記載された以下のとおりのものと認める。
　「無線通信回線を利用して通信を行う無線通信手段と、
　電話番号を入力するためのテンキーを含む複数のキーで構成されるキー入力手段と、
　テレビ放送を受信するためのテレビ放送受信手段と、
　位置情報を設定する位置情報設定手段と、
　前記テンキーの各キーと放送局情報と位置情報とを対応付けて記憶する記憶手段と、
　前記無線通信手段及びテレビ放送受信手段を制御する制御手段と、を有し、
前記制御手段は、前記テンキーが、
電話機能を使用する場合に、電話番号を入力するために使用され、
メール作成時に文字入力を行うために使用されると共に、
テレビ視聴時のチャンネルキーとして使用され、
さらに、テレビ視聴時に映像表示を行いながら、チャンネルキーとして使用したテンキーがテキスト画面にカーソルが表示されている項目に対してテキスト入力として使用されるよう制御することを特徴とする携帯機器。」
　
３．優先権主張の効果について
　本願は、特願２００２−３３６９５６号（出願日：平成１４年１１月２０日）に基づいて優先権の主張をするものであるが、本願発明の「テレビ視聴時に映像表示を行いながら、チャンネルキーとして使用したテンキーがテキスト画面にカーソルが表示されている項目に対してテキスト入力として使用される」という事項は、優先権主張の基礎となった前記出願の願書に最初に添付された明細書又は図面に記載されていないから、優先権主張の効果を認めない。
　したがって、本願発明は、平成１５年９月９日の出願として扱う。
　
４．引用例発明
　当審で通知した拒絶理由に引用された特開平８−１６２９０９号公報（平成８年６月２１日公開。以下、「引用例１」という。）には、図面とともに以下の記載がある。
　
「【０００１】
【産業上の利用分野】本発明は、ラジオやテレビ等の放送を受信する受信機能を有する携帯型端末に関するものであり、特に、放送を受信する機能を有する携帯電話に関するものである。」
　
「【００２３】
【実施例】本発明の実施例を図面を利用して説明する。本発明に基づく携帯電話機Ａ１は、図１に示されるように構成され、アンテナ１と、無線通信制御部２と、スピーカ３と、マイク４と、通信回路５と、キー入力部６と、表示部７と、制御部８と、放送局選択手段としてのワンタッチキー入力部９と、記憶部１０と、アンテナ１１と、放送受信部１２と、放送情報出力部１３とを有している。
【００２４】ここで、上記アンテナ１は携帯電話の送受信を行うためのものであり、上記無線通信制御部２は、上記アンテナ１を介して携帯電話基地局と無線通信を行うためのものである。また、上記スピーカ３とマイク４とは携帯電話において通話を行うためのものである。
【００２５】上記通話回路５は、上記スピーカ３とマイク４とにより通話を可能とするための回路装置である。さらに、キー入力部６は、携帯電話を使用するための種々のデータを設定したり、電話番号を入力するための入力キーであり、テンキーで構成される。上記表示部７は通話を行う電話番号や日付等を表示する表示部である。
【００２６】また、周波数検索手段、受信感度判定手段、周波数再検索手段及び別周波数検索手段としての制御部８は、上記キー入力部６、ワンタッチキー入力部９等の操作に基づき上記各部を制御するものである。また、上記ワンタッチキー入力部９は、放送の選局を行うための操作ボタンであり、ワンタッチキーで構成される。
【００２７】また、上記記憶部１０は、位置情報記憶手段としての位置情報登録部１０１と、周波数記憶手段としての放送局登録部１０２及び周波数登録部１０３とを有している。ここで、上記位置情報登録部１０１は、携帯電話基地局から送信される位置情報を記憶するものであり、また、上記放送局登録部１０２は、図２（ａ）に示すように、ワンタッチキー入力部９のキー番号と放送局名との対応を登録した対応テーブルを有している。
【００２８】ここで、図２（ａ）中「放送局番号１」、「放送局番号２」とあるのは、「放送局番号１」があるキー番号における第１候補の放送局であり、「放送局番号２」が第２候補の放送局であることを意味している。この放送局登録部１０２に登録されている放送局名は予め登録されているか、もしくはユーザーにより任意に入力が可能である。
【００２９】また、上記周波数登録部１０３は、図２（ｂ）に示すように、ある放送局における受信位置と周波数の対応を登録した対応テーブルを有している。また、上記アンテナ１１は、ラジオやテレビ等の放送番組を受信する受信アンテナであり、上記放送受信部１２は、上記アンテナ１１を介して放送番組を受信するためのものであり、制御部８の制御によって選局・同調を行う。
【００３０】また、上記放送情報出力部１３は受信した放送を出力するためのものであり、音声を出力するスピーカや映像、データを出力する液晶ディスプレイで構成される。上記構成に基づく携帯電話機Ａ１の動作について、図３を使用しながら説明する。
【００３１】図示しない電源スイッチをオン作動させると、制御部８は、無線通信制御部２及びアンテナ１を介して、携帯電話基地局（図示せず）に位置情報を要求し、該携帯電話基地局から返送される位置情報を記憶部１０における位置情報登録部１０１に登録する（ステップＳ１）。ここで、上記位置情報は、ＰＨＳサービスによって得られる位置情報であり、この位置情報は各所に設けられたＰＨＳ用基地局から送信される。
【００３２】なお、ＰＨＳサービスにおいて供給される位置情報としては、１つの基地局の通信エリアが狭いため詳細な位置情報が送られるが、放送局の受信エリアはもっと広いので、携帯電話機Ａ１が必要とする位置情報としては、そのうちの広エリアを示す位置情報が使用される。つまり、ＰＨＳサービスにおいて供給される位置情報は例えば「Ｐ県Ｓ市Ｒ駅構内」となるが、この携帯電話機Ａ１が使用する情報は、そのうちの「Ｐ県Ｓ市」の部分が使用されることになる。
【００３３】次に、ワンタッチキー入力部９により受信したい放送局を選択する（ステップＳ２）。すると、制御部８は、ワンタッチキー入力部９により選択されたキー番号に対応する放送局名を放送局登録部１０２より検索し、検索された放送局名を表示部７に表示する（ステップ３）。
【００３４】例えば、放送局登録部１０２が図２（ａ）に示す対応テーブルを有する場合に、キー番号「１」を選択した場合には、Ａ放送局が検索され、このＡ放送局の名称が表示部７に表示される。次に、制御部８は、位置情報登録部１０１に登録されている位置情報を読み出し、検索された放送局について、該位置情報に対応する周波数を検索し、この検索された周波数情報を放送受信部１２に送って、放送受信部１２においてその周波数に同調するようにする（ステップＳ４）。」
　　
　引用例１の【００３１】には、「図示しない電源スイッチをオン作動させると、制御部８は、無線通信制御部２及びアンテナ１を介して、携帯電話基地局（図示せず）に位置情報を要求し、該携帯電話基地局から返送される位置情報を記憶部１０における位置情報登録部１０１に登録する」ことが記載されており、引用例１の携帯電話機は、位置情報を設定する位置情報設定手段を有するものといえる。
　また、引用例１の【００２７】〜【００２９】の記載を参照すると、記憶部は、位置情報登録部と、放送局登録部及び周波数登録部とを有しており、放送局登録部には、ワンタッチキー入力部のキー番号と放送局名との対応が登録されており、周波数登録部には、ある放送局における受信位置と周波数の対応が登録されている。放送局名とその周波数は、放送局情報であるといえるから、引用例１の記憶部は、ワンタッチキー入力部のキー番号と放送局情報と位置情報とを対応付けて記憶するものであるといえる。
　
　したがって、引用例１には、技術常識を考慮すると、
「携帯電話基地局と無線通信を行う無線通信制御部と、
　電話番号を入力するためのテンキーを含む複数のキーで構成されるキー入力部と、
　放送局の選局を行うためのワンタッチキーで構成されるワンタッチキー入力部と、
　ラジオやテレビ等の放送を受信する放送受信部と、
　位置情報を設定する位置情報設定手段と、
　ワンタッチキー入力部のキー番号と放送局情報と位置情報とを対応付けて記憶する記憶部と、
　前記無線通信制御部及び放送受信部を制御する制御部と、を有し、
前記制御部は、
　前記テンキーが、電話機能を使用する場合に、電話番号を入力するために使用され、
　前記ワンタッチキーは、放送を受信する場合に、放送局の選択に使用されるように制御する携帯電話機。」
との発明（以下、「引用例１発明」という。）が開示されていると認めることができる。
　
　また、当審で通知した拒絶理由に引用された特開２００３−１０１８１２号公報（平成１５年４月４日公開。以下、「引用例２」という。）には、図面とともに以下の記載がある。
　
「【００１０】
【発明の実施の形態】以下、図面を用いて本発明の一実施例について説明する。図１は本発明の第１の実施例における携帯デジタル放送受信システムの構成図である。ここでは、受信するデジタル放送として地上デジタルテレビジョン放送の部分受信を想定し、表示装置として携帯電話を使用する場合についての構成を示している。」
　
「【００１８】上述した携帯電話としての機能以外に、利用者が地上デジタル放送を視聴しようとした場合には、操作部３１の操作により上述した携帯地上デジタル放送受信装置１に選局データを送信するモードに切り替えられる。そして受信したいチャンネルが操作部３１に含まれるテンキー等で入力される。入力された選局データは送受信データ加工処理部２８で携帯地上デジタル放送表示装置２と携帯地上デジタル放送受信装置間１の無線伝送プロトコルに従った符号化がされる。この送受信データ加工処理部２８では、符号化された選局データに誤り訂正符号が付加される。この信号は変復調部２７に入力されデジタル変調される。変調信号は、送受信部２６で所定の無線チャネルの高周波信号に変換された後にアンテナ２５から地上デジタル放送受信装置１に送信される。」
　
　したがって、引用例２には、技術常識を考慮すると、
　「テレビ放送の受信システムにおいて、テンキー等でチャンネルを選局すること」
との発明（以下、「引用例２発明」という。）が開示されていると認めることができる。
　
　また、当審で通知した拒絶理由に引用された特開２００１−２８５８３９号公報（平成１３年１０月１２日公開。以下、「引用例３」という。）には、図面とともに以下の記載がある。
　
「【実施例１】以下、図面に基づいて、本発明の実施の形態を説明する。図１は、本発明の一実施例であるデジタルテレビのシステム構成を示している。また、図２図３は本実施例の処理手順を示すフロー図である。図１において、１は地上波、衛星、ＣＡＴＶ等の基地局であり、２はこれらの基地局からの電波を受信するデジタルテレビチューナーである。このシステムは制御装置（ＣＰＵ）４により制御されており、入力装置としてのリモコン３によって各種の操作が可能となっている。５は表示装置であり、ＣＲＴまたは液晶ディスプレイを用いることができる。この表示装置５には、テレビ放送および情報が表示されるようになっている。
　　　（中略）
同図において、デジタル放送信号が地上波局、衛星通信、ケーブルテレビ局を通じて各家庭に配信されると、デジタルテレビチューナー２によってチャンネル毎にデータが振り分けられる。視聴者は、入力装置３すなわちリモコンを使用してチャンネルを選択するようになっている。このリモコンからデータ放送の表示信号を受信した制御装置（ＣＰＵ）４は、指定されたチャンネルに多重されたデータ放送を表示装置（モニタ）５に表示する。このとき制御装置（ＣＰＵ）４は、表示処理を行ったデータ放送のページ情報（視聴者が入力した情報の送信先サーバのドメインアドレス１００１や通信会社サーバのドメインアドレス１００２等）を記憶装置（メモリ）６に書き込む。このときの表示装置（モニタ）５の表示画面を示したものが図５である。同図に示すように、表示画面は、放送番組の表示領域２０１と、リモコン３を使って入力するデータを確認するための入力表示領域２０２と、入力確認領域２０３とで構成されている。この状態で、視聴者がリモコン３に各種の情報、たとえば放送番組の表示領域２０１で放映されているクイズ番組の回答等を入力すると（ステップ６０１）、当該入力データ（たとえばクイズに対する回答の選択枝）が入力表示領域２０２に表示される。」（２頁２欄３２行〜３頁３欄２７行）
　
　したがって、引用例３には、技術常識を考慮すると、
　「テレビの表示画面に、放送番組の表示領域と入力表示領域とを設けて、表示領域に放送番組を表示しながら、入力表示領域をデータ入力として使用すること」
との発明（以下、「引用例３発明」という。）が開示されていると認めることができる。
　　　
５．対比
　本願発明と引用例１発明とを対比する。
　引用例１発明の「携帯電話基地局と無線通信を行う無線通信制御部」と、本願発明の「無線通信回線を利用して通信を行う無線通信手段」とは、技術常識を考慮すれば実質的に同等である。
　引用例１発明の「キー入力部」と、本願発明の「キー入力手段」とは、「電話番号を入力するためのテンキーを含む複数のキーで構成される」点で一致している。
　引用例１発明の「放送受信部」と、本願発明の「テレビ放送受信手段」とは、「テレビ放送を受信する」点で一致している。
　引用例１発明の「ワンタッチキー」は放送局の選局を行うものであるから、テレビ視聴時の「チャンネルキー」であるといえる。
　引用例１発明の「記憶部」と、本願発明の「記憶手段」とは、「チャンネルキーの各キーと放送局情報と位置情報とを対応付けて記憶する」点で一致している。
　引用例１発明の「制御部」と、本願発明の「制御手段」は、「無線通信手段及びテレビ放送受信手段を制御する」点で一致している。
　引用例１発明の「携帯電話機」は、「携帯機器」の一種である。
　
　したがって、本願発明と引用例１発明とは、
「無線通信回線を利用して通信を行う無線通信手段と、
　電話番号を入力するためのテンキーを含む複数のキーで構成されるキー入力手段と、
　テレビ放送を受信するためのテレビ放送受信手段と、
　位置情報を設定する位置情報設定手段と、
　チャンネルキーの各キーと放送局情報と位置情報とを対応付けて記憶する記憶手段と、
　前記無線通信手段及びテレビ放送受信手段を制御する制御手段と、を有し、
前記制御手段は、前記テンキーが、
電話機能を使用する場合に、電話番号を入力するために使用されるよう制御する携帯機器。」
の点で一致し、以下の点で相違している。
　　
［相違点］
　本願発明の制御手段は、「テンキーが、電話機能を使用する場合に、電話番号を入力するために使用され、メール作成時に文字入力を行うために使用されると共に、テレビ視聴時のチャンネルキーとして使用され、さらに、テレビ視聴時に映像表示を行いながら、チャンネルキーとして使用したテンキーがテキスト画面にカーソルが表示されている項目に対してテキスト入力として使用されるよう制御する」のに対して、引用例１発明の制御手段は、「テンキーが、電話機能を使用する場合に、電話番号を入力するために使用され、ワンタッチキーがテレビ視聴時のチャンネルキーとして使用されるよう制御する」ものである点。
　　
６．当審の判断
　上記相違点について検討する。
　携帯電話機等の携帯機器において、電話番号を入力するためのテンキーを、メール作成時には文字入力を行うために使用することは慣用手段である。
　引用例２には、「テレビ放送の受信システムにおいて、テンキー等でチャンネルを選局すること」が開示されており、これは、「テンキー等をテレビ視聴時のチャンネルキーとして使用すること」と表現できる。
　引用例３には、「テレビの表示画面に、放送番組の表示領域と入力表示領域とを設けて、表示領域に放送番組を表示しながら、入力表示領域をデータ入力として使用すること」が開示されており、「データ」は通常「テキスト」であり、「入力表示領域」は「テキスト画面」といえるから、「テレビ視聴時に映像表示を行いながら、テキスト画面にテキスト入力をすること」と表現できる。また、テキスト入力を行う場合に、テンキーを用いて、画面にカーソルが表示されている項目に対してテキスト入力を行うことは慣用手段である。
　引用例２発明と引用例３発明は、テレビ放送の受信に関するものであり、引用例１発明は、携帯電話機でテレビ放送の受信をするものであるから、引用例１発明に引用例２発明及び引用例３発明を適用することに困難性は認められない。
　したがって、引用例１発明において、上記相違点に係る構成を採用することは、引用例１発明に、引用例２発明、引用例３発明及び慣用手段を適用することにより容易に想到し得たものである。
　　　
　そして、本願発明の作用効果も、引用例１発明、引用例２発明、引用例３発明及び慣用手段から当業者が予測できる範囲のものである。
　　　
７．むすび
　以上のとおり、本願発明は、引用例１発明、引用例２発明、引用例３発明及び慣用手段に基づいて、当業者が容易に発明をすることができたものであるから、特許法第２９条第２項の規定により特許を受けることができない。
　よって、結論のとおり審決する。